(57)【要約】【課題】  携帯端末の形態が開状態と閉状態との間で変化する場合に、ＣＰＵへの割込みによる電力消費を低減するように開閉状態を検出する携帯端末を提供する。【解決手段】  携帯電話機１は、携帯電話機１が開状態である場合に磁気を検知するＭＲセンサ１(１１８)と、閉状態である場合に検知するＭＲセンサ２(１１９)と、両ＭＲセンサからの検知信号に応じて、開閉情報記憶部１０３に開閉状態フラグを格納し、各検知信号に対する割込みマスクの設定及び解除を行なうことによりＣＰＵ１０１への割込み信号の送出を制御するＣＰＵ割込み制御部１０２とを備える。【選択図】  図３
2006217380.tif 000002
【特許請求の範囲】
【請求項１】
開状態及び閉状態の間で形態を変化させることができる携帯端末であって、
前記閉状態であることを検出する第一検出手段と、
前記開状態であることを検出する第二検出手段と、
前記第一検出手段及び第二検出手段のうちの一方が検出した場合に、当該一方による検出を抑止し、他方が検出した場合に当該一方による検出の抑止を解除する検出制御手段と
を備えることを特徴とする携帯端末。
【請求項２】
前記第一検出手段及び第二検出手段の各々は、磁気が所定の強度以上である場合に磁気を検知する磁気センサを有し、両磁気センサは一定の間隔で配置されており、
前記携帯端末は、更に、形態が変化したときに前記各磁気センサに対する相対位置が変化する界磁部を備え、
前記一定の間隔は、開状態の場合には一方の磁気センサの位置における磁気が所定の強度より弱く、閉状態の場合には他方の磁気センサの位置における磁気が所定の強度より弱くなる間隔であること
を特徴とする請求項１記載の携帯端末。
【請求項３】
前記携帯端末は、更に、ＣＰＵを備え、
前記第一検出手段及び第二検出手段は、更に、前記各磁気センサが検知した際、割込みマスクが設定されていない場合に当該検知による前記ＣＰＵへの割込みをかける割込み部を各々有しており、
前記検出制御手段は、前記第一検出手段及び第二検出手段に係る磁気センサのうち、一方が検知した場合に、当該一方の割込み部に割込みマスクを設定し、他方が検知した場合に、当該一方の割込み部の割込みマスクの設定を解除すること
を特徴とする請求項２記載の携帯端末。
【請求項４】
前記第一検出手段及び第二検出手段に係る各磁気センサは、電力が供給されているときに磁気を検知し、
前記携帯端末は、更に、前記各磁気センサに対して各々電力を供給する電力供給手段を備え、
前記検出制御手段は、前記第一検出手段及び第二検出手段に係る磁気センサのうち、一方が検知した場合に、当該一方への電力供給手段による電力供給を中止し、他方が検知した場合に、当該一方への電力供給手段による電力供給を再開すること
を特徴とする請求項２記載の携帯端末。
【請求項５】
開状態及び閉状態の間で形態を変化させることができる携帯端末の開閉状態の検出を行なうための第一検出機構と第二検出機構とを制御する開閉検出制御処理を、当該携帯端末のプロセッサに実行させるための制御プログラムであって、
前記開閉検出制御処理は、
前記第一検出機構及び第二検出機構のうちの一方が検出した場合に、当該一方による検出を抑止し、他方が検出した場合に、当該一方による検出の抑止を解除する検出制御ステップを含む
ことを特徴とする制御プログラム。
【発明の詳細な説明】
【技術分野】
【０００１】
本発明は、形態を開状態及び閉状態の間で変化させることができる携帯端末に関し、特に、開閉状態を検出する技術に関する。
【背景技術】
【０００２】
従来、スライド式や折畳み式等の携帯電話機は、通常使用時の形態（以下、「開状態」と言う。）と携帯時の形態(以下、「閉状態」と言う。)に変化させることができる。
例えば、スライド式携帯電話機は、上部筐体が下部筐体の長軸方向にスライドすることができるように両筐体が連結されており、ユーザは、携帯時には、上部筐体に下部筐体が重なるように、スライド防止用のスライドロックでロックされるまで上部筐体をスライドさせて閉状態にし、メール作成等をする場合には、閉状態と逆方向に上部筐体をスライドさせ開状態にして使用する。
【０００３】
ところで、携帯電話機の開閉状態の検出には、ユーザの開閉操作によって生じる磁界の変化を筐体内部に取り付けた磁力スイッチで検知し、その検知結果をＣＰＵに送出して開閉状態を検出する技術が開示されている(特許文献１参照)。
このような開閉検出の技術は、例えば、開閉状態に応じてディスプレイの表示を変えたり、操作可能なボタンを限定する等、各機能を切替える際のトリガーとして利用されている。
【特許文献１】特開２００３−２８３６２１号公報
【発明の開示】
【発明が解決しようとする課題】
【０００４】
しかし、例えば、スライド式携帯電話機を閉状態にして鞄の中に入れている場合に、スライドロックがはずれ、上部筐体がスライドして中途半端に開いてしまう(以下、「半開状態になる」という)ことがある。この場合、携帯電話機が閉状態と半開状態になるたびに、磁力スイッチは磁界を検知してＣＰＵに検知結果を送出し、ＣＰＵはその都度開閉検出による割り込みを発生させて各機能を切替えるので、電力を無駄に消費してしまうという問題がある。
【０００５】
そこで、本発明は、かかる問題に鑑みてなされたものであり、ＣＰＵの割込みによる電力消費を低減するように開閉状態を検出する携帯端末を提供することを目的とする。
【課題を解決するための手段】
【０００６】
上記課題を解決するために、本発明に係る携帯端末は、開状態及び閉状態の間で形態を変化させることができる携帯端末であって、前記閉状態であることを検出する第一検出手段と、前記開状態であることを検出する第二検出手段と、前記第一検出手段及び第二検出手段のうちの一方が検出した場合に、当該一方による検出を抑止し、他方が検出した場合に当該一方による検出の抑止を解除する検出制御手段とを備えることを特徴とする。
【発明の効果】
【０００７】
この構成によれば、例えば、開閉状態の検出時に携帯電話機のＣＰＵに割込みを発生させて、夫々の状態に対応する開閉音を鳴らすスライド式携帯電話機の場合、ユーザが意図せず携帯電話機が閉状態と半開状態を繰り返したとしても、閉状態を検出後に開状態になったことを検出するまではＣＰＵは割込みを発生させないので、ＣＰＵへの割込みによる無駄な電力消費を低減することができる。
【０００８】
つまり、検出結果に応じて、開閉音を鳴らす、ディスプレイの表示を変更する等の機能処理を制御することができるような携帯電話機において、開閉状態のどちらか一方の状態を検出した後は他方の状態を検出するまで、当該一方の検出結果は各機能処理のトリガーにならないので、無駄な機能処理の実行による電力消費も低減することができる。
また、前記第一検出手段及び第二検出手段の各々は、磁気が所定の強度以上である場合に磁気を検知する磁気センサを有し、両磁気センサは一定の間隔で配置されており、前記携帯端末は、更に、形態が変化したときに前記各磁気センサに対する相対位置が変化する界磁部を備え、前記一定の間隔は、開状態の場合には一方の磁気センサの位置における磁気が所定の強度より弱く、閉状態の場合には他方の磁気センサの位置における磁気が所定の強度より弱くなる間隔であることとしてもよい。
【０００９】
この構成によれば、開状態と閉状態との間で形態が変化するときに各センサとの相対位置が変わるように界磁部を設けており、２つの磁気センサは、開状態の場合に一方の磁気センサのみが所定の強度の磁気を検知し、閉形態の場合に他方の磁気センサのみが所定の強度の磁気を検知できるような間隔で配置されることにより、開閉状態を容易に検知することができる。
【００１０】
また、前記携帯端末は、更に、ＣＰＵを備え、前記第一検出手段及び第二検出手段は、更に、前記各磁気センサが検知した際、割込みマスクが設定されていない場合に当該検知による前記ＣＰＵへの割込みをかける割込み部を各々有しており、前記検出制御手段は、前記第一検出手段及び第二検出手段に係る磁気センサのうち、一方が検知した場合に、当該一方の割込み部に割込みマスクを設定し、他方が検知した場合に、当該一方の割込み部の割込みマスクの設定を解除することとしてもよい。
【００１１】
この構成によれば、開状態及び閉状態を検出するための各磁気センサが磁気を検知しても、開閉状態のどちらか一方の状態を検出した後、他方の状態を検出するまでは、当該一方の状態を検出するための磁気センサの検知によるＣＰＵへの割込みをさせないので、無駄なＣＰＵへの割込みを防ぎ、電力消費も低減することができる。
また、前記第一検出手段及び第二検出手段に係る各磁気センサは、電力が供給されているときに磁気を検知し、前記携帯端末は、更に、前記各磁気センサに対して各々電力を供給する電力供給手段を備え、前記検出制御手段は、前記第一検出手段及び第二検出手段に係る磁気センサのうち、一方が検知した場合に、当該一方への電力供給手段による電力供給を中止し、他方が検知した場合に、当該一方への電力供給手段による電力供給を再開することとしてもよい。
【００１２】
この構成によれば、開状態及び閉状態を検出するための各磁気センサへの電力供給を別々に行い、一方の磁気センサが検知した後、他方の磁気センサが検知するまで当該一方の磁気センサの電力供給を行なわないようにすることで、当該一方の磁気センサによる検知は行なわれないので、ＣＰＵへの無駄な割込みも発生せず、電力消費を抑えることができる。
【発明を実施するための最良の形態】
【００１３】
＜実施形態１＞
以下、本発明の実施形態１に係る携帯電話機について説明する。
＜外観＞
図１は、本発明に係る携帯電話機の外観図である。
以下、携帯電話機１の外観について説明する。
【００１４】
携帯電話機１は、上部筐体１０と下部筐体２０とから構成され、上部筐体１０が下部筐体２０上を長軸方向にスライドできるように連結されている。
同図(ａ)は、上部筐体１０と下部筐体２０が重なった閉状態を示し、同図（ｂ）は、テンキーなどの文字入力ボタン１３を押下することができるように上部筐体１０をスライドさせた場合の開状態を示している。
【００１５】
上部筐体１０は、ディスプレイ１１、複数の操作ボタン１２とから構成されており、上部筐体１０内部にＭＲ(Magneto Resistance)センサ５１、ＭＲセンサ５２が装着されている。また、下部筐体２０は、文字入力ボタン１３を備えて構成され、下部筐体２０内部には、図示しない磁石が装着されている。
図２は、図１に示す上部筐体１０内部のＭＲセンサ５１、ＭＲセンサ５２、及び下部筐体２０内部の磁石の配置を示す携帯電話機１の断面図であり、同図(ａ)は携帯電話機１が閉状態の場合を示しており、同図（ｂ）は開状態の場合を示している。尚、説明の便宜上、ＭＲセンサ５１、５２及び磁石５３以外の各部の配置については省略する。
【００１６】
同図(ａ)(ｂ)に示す様に、下部筐体２０内部の磁石５３に対して、閉状態の場合には上部筐体１０内部のＭＲセンサ５１が閾値以上の磁界を検知し、開状態の場合にはＭＲセンサ５２が閾値以上の磁界を検知するように間隔をあけてＭＲセンサ５１とＭＲセンサ５２は装着されている。
＜構成＞
図３は、携帯電話機１の機能構成図を示している。以下、携帯電話機１の各機能について説明する。
【００１７】
携帯電話機１は、制御部１００、無線部１１０、変復調部１１１、音声処理部１１２、マイク１１３、スピーカ１１４、記憶部１１５、表示部１１６、操作部１１７、ＭＲセンサ１(１１８)、及びＭＲセンサ２(１１９)から構成されている。
以下、各部について詳細に説明する。
ここで、制御部１００は、ＣＰＵ１０１、メモリ(ROM及びRAM)１０４、及びＣＰＵ割込み制御部１０２を含んで構成され、ユーザによる操作部１１７の操作に応じて携帯電話機１の各部を制御する機能を有しており、ROMに格納されているプログラムをＣＰＵ１０１が実行することにより携帯電話機１の全体動作を制御する。
【００１８】
ＣＰＵ１０１は、後述するＣＰＵ割込み制御部１０２から開閉状態を示す割込み信号を受付け、当該信号に応じて各機能を切替える機能を有する。ROMは、特に本発明に特徴的な動作、携帯電話機１の開閉状態を検出する動作を実現するためのプログラムを保持している。RAMは、ＣＰＵ１０１がプログラムを実行するための作業用データを一時的に保持する。
【００１９】
また、ＣＰＵ割込み制御部１０２は、開閉情報記憶部１０３を含んで構成されている。
ＣＰＵ割込み制御部１０２は、ＭＲセンサ1及びＭＲセンサ2のいずれか一方から検知信号を受付け、後述する開閉情報記憶部１０３に当該検知信号に対応する開閉状態フラグを格納し、他方の検知信号を受付けたときに開閉状態フラグを更新する機能を有する。また、一方の検知信号を受付けたとき、そのＭＲセンサの検知信号による割込み信号をＣＰＵ１０１へ送出し、他方のＭＲセンサの検知信号を受付けるまで、そのＭＲセンサの検知信号に対する割込みマスクを設定して、そのＭＲセンサの検知信号によるＣＰＵ１０１への割込み信号の送出を抑止する機能を有する。
【００２０】
尚、開閉情報フラグは、携帯電話機１の開閉状態を示すフラグであり、閉状態の場合に１、開状態の場合に０が格納される。
開閉情報記憶部１０３は、レジスタ等の記憶領域であり、ＣＰＵ割込み制御部１０２によって受付けられた検知信号に対応する開閉状態フラグを記憶する機能を有する。
無線部１１０は、アンテナに受信された受信信号を増幅し、変復調部１１１により変調された送信信号を増幅してアンテナから送信する。
【００２１】
変復調部１１１は、無線部１１０によって増幅された受信信号を受話音声信号、及び受信データ信号に復調し、音声処理部１１２によってＡ／Ｄ変換された送話音声信号及び制御部１００から与えられる送信データ信号を送信信号に変調する。
また、音声処理部１１２は、変復調部１１１により復調された受話音声信号をＤ／Ａ変換してスピーカ１１４から発音させ、マイク１１３から取得した送話音声信号をＡ／Ｄ変換する。
【００２２】
尚、音声及びデータの送受信そのものを実現するための構成は本発明の特徴部分ではないので、従来用いられている一般的な構成を適宜採用するものとし、説明を省略する。
記憶部１１５は、ハードディスクなどで実現され、後述する切替えテーブル等のデータを記憶する機能を有する。
表示部１１６は、カラー液晶パネルなどで実現され、制御部１００の制御によりメールなどの画像を表示する。
【００２３】
操作部１１７は、ユーザによる携帯電話機1の文字入力ボタン１３及び操作ボタン１２の押下を受付け、制御部１１７へ押下されたボタンに対応する信号を送出する。
ＭＲセンサ１は、磁気抵抗効果素子(以下、「ＭＲ素子」と言う)を用いた磁気センサで実現され、携帯電話機１が閉状態である場合に下部筐体２０の磁石５３による磁気を検知し、検知した旨を示す検知信号をＣＰＵ割込み制御部１０２へ送出する機能を有する。
【００２４】
ＭＲセンサ２もＭＲ素子を用いた磁気センサで実現され、携帯電話機１が開状態である場合に下部筐体２０の磁石５３による磁気を検知し、検知信号をＣＰＵ割込み制御部１０２へ送出する機能を有する。
尚、ＭＲセンサ1及びＭＲセンサ２による検知信号は互いに異なっており、ＣＰＵ割込み制御部１０２はいずれのＭＲセンサによる検知信号であるかを判別できるものとする。また、実施に係るＭＲセンサは、一定の磁気の強さ、例えば、磁気の強さが２．３ｍＴで検知するセンサを用いることとする。
＜データ＞
図４は、携帯電話機１の記憶部１１５に予め記憶されている切替えテーブル２００の構成及び内容例を示す図である。
【００２５】
切替えテーブル２００は、切替え機能２１０、開形態２１１、及び閉形態２１２とを対応付けて記憶されており、携帯電話機１の開閉状態に応じて実行させる各機能の状態を示している。
切替え機能２１０の開閉音は、開閉状態が切り替わる際に各状態に対応する音声を発生させる機能である。また、テンキー操作は、下部筐体２０の文字入力ボタン１３の操作を開閉状態に応じて無効にする機能であり、終話機能は、通話中にオンフックボタンを押下せずに、開閉操作により通話を終了させる機能である。
【００２６】
切替えテーブル２００の各データは、ＣＰＵ割込み制御部１０２の開閉情報記憶部１０３に記憶されている開閉情報フラグが更新される際に、ＣＰＵ１０１によって読み出される。
＜動作＞
図５は、携帯電話機１の開閉状態の検出を制御する開閉検出制御処理の動作フロー図であり、以下、同図に基づき当該処理について説明する。
【００２７】
尚、最初に開閉状態のいずれかを検知するまで、ＣＰＵ割込み制御部１０２は両ＭＲセンサ部の検知信号に対して割込みマスクの設定を行なわず、割込みの抑止を解除しており、同図は、２回目以降に両ＭＲセンサ部が検知した場合について示している。また、ＭＲセンサ１(図３)は、図１に示す携帯電話機１のＭＲセンサ５１を示しており、ＭＲセンサ２(図３)は、図１に示す携帯電話機１のＭＲセンサ５２を示している。
【００２８】
ＭＲセンサ１が下部筐体２０内部の磁石５３による磁気を検知した場合(ステップＳ３００:Ｙ)、ＣＰＵ割込み制御部１０２は、ＭＲセンサ１から送出された検知信号を受付け(ステップＳ３１０)、当該信号に基づいて開閉情報記憶部１０３の開閉情報フラグに１(閉形態)を格納し(ステップＳ３１１)、ＣＰＵ１０１へ割込み信号を送出する。
ステップＳ３１１に続いて、ＣＰＵ割込み制御部１０２は、ＭＲセンサ２からの検知信号を受付けるまで開閉情報記憶部１０３に格納している開閉情報フラグを保持し、ＭＲセンサ１の検知信号に対して割込みマスクを設定し、ＭＲセンサ１の検知信号によるＣＰＵ１０１への割込みを抑止する(ステップＳ３１２)。
【００２９】
続いて、ＣＰＵ割込み制御部１０２は、ＭＲセンサ２の検知信号に対する割込みマスクを解除し、ＭＲセンサ２の検知信号によるＣＰＵ１０１への割込みの抑止を解除する(ステップＳ３１３)。
また、ステップＳ３００において、ＭＲセンサ１が下部筐体２０内の磁石５３による磁気を検知せず(ステップＳ３００:Ｙ)、ＭＲセンサ２が当該磁石５３による磁気を検知した場合(ステップＳ３１４:Ｙ)、ＣＰＵ割込み制御部１０２は、ＭＲセンサ２から送出された検知信号を受付ける(ステップＳ３１５)。
【００３０】
ステップＳ３１５に続いて、ＣＰＵ割込み制御部１０２は、当該信号に基づいて開閉情報記憶部１０３の開閉情報フラグに０(開形態)を格納し、ＣＰＵ１０１へ開形態を示す割込み信号を送出する(ステップＳ３１６)。
また、ＣＰＵ割込み制御部１０２は、ステップＳ３１６に続いて、ＭＲセンサ１からの検知信号を受付けるまで、開閉情報記憶部１０３に格納している開閉情報フラグを保持し、ＭＲセンサ２の検知信号に対して割込みマスクを設定し、ＭＲセンサ２の検知信号による割込みを抑止する(ステップＳ３１７)。
【００３１】
続いて、ＣＰＵ割込み制御部１０２は、ＭＲセンサ１の検知信号に対する割込みマスクを解除し、ＭＲセンサ１の検知信号による割込みの抑止を解除する(ステップＳ３１８)。
尚、図５には図示していないが、ステップＳ３１１及びステップＳ３１６の後、ＣＰＵ１０１は、開閉状態記憶部１０３に格納されている開閉状態フラグを読出し、記憶部１１５から切替えデータ２００を読出し、当該フラグに基づいて機能の切替え処理を行なわせるための制御信号を各部に送出する。
＜動作例＞
上述した携帯電話機１の動作例について、図５の動作フローに基づき説明する。
【００３２】
尚、携帯電話機１の形態は、ユーザ操作により既に開状態になっているものとして、開状態から閉状態に形態が変化する場合について説明することとする。この場合、開状態であることが既にＭＲセンサ２によって検知されているので、開閉情報記憶部１０３の開閉状態フラグには０が格納され、ＣＰＵ割込み制御部１０２は、ＭＲセンサ２の検知信号に対する割込みマスクを設定し、ＭＲセンサ２の検知信号によるＣＰＵ１０１への割込み信号の送出を抑止している。
【００３３】
ユーザが携帯電話機１の上部筐体１０をスライドさせて閉状態にしたとき、  ステップＳ３００において、ＭＲセンサ１は磁気を検知して検知信号をＣＰＵ割込み制御部１０２に送出し(ステップＳ３１４:Ｙ)、ＣＰＵ割込み制御部１０２は検知信号を受付ける(ステップＳ３１５)。
ＣＰＵ割込み制御部１０２は、受付けた検知信号に基づいて開閉情報記憶部１０３の開閉状態フラグを１に更新し、ＣＰＵ１０１へ割込み信号を送出する(ステップＳ３１１)。
【００３４】
また、ＣＰＵ割込み制御部１０２は、ＭＲセンサ１の検知信号に対して割込みマスクを設定し、ＭＲセンサ１の検知信号によるＣＰＵ１０１への割込み信号の送出を抑止し(ステップＳ３１２)、ＭＲセンサ２の検知信号に対する割込みマスクを解除して、ＭＲセンサ２の検知信号による割込み信号の送出の抑止を解除する(ステップＳ３１３)。
ステップＳ３１１において割込み信号を受付けたＣＰＵ１０１は、開閉情報記憶部１０３に格納されている開閉状態フラグ１を読出し、切替えデータ２００を読み出す。ＣＰＵ１０１は、切替えデータ２００の閉形態２１２の各データに基づいて、開閉音２を発する制御信号と、文字入力ボタン１３の操作をＯＦＦに切替える信号と、終話機能をＯＮに切替える信号を各部に送出する。
【００３５】
このように、ＭＲセンサ２が検知するまではＭＲセンサ１からの検知信号によるＣＰＵ１０１への割込みを抑止しているので、携帯電話機１が閉状態と半開状態を繰り返してもＣＰＵ１０１は割込みを発生させず、消費電力を低減することができる。
＜実施形態２＞
以下、実施形態２の携帯電話機について説明する。
【００３６】
本実施形態の携帯電話機の外観は、実施形態１と同様であるので説明を省略する。
上述の実施形態１では、ＣＰＵ１０１への割込みを抑止している場合でも両ＭＲセンサは磁気を検知することができるが、本実施の形態では、いずれか一方のＭＲセンサで検知した後は、他方のＭＲセンサが検知するまではそのＭＲセンサは検知できない構成としている点において実施形態１と異なっている。
【００３７】
図６は、各ＭＲセンサへの電源供給に着目した開閉検出回路を示す図である。
ここで、ＭＲセンサ１(４０３)及びＭＲセンサ２(４０５)は、実施形態１のＭＲセンサと同じセンサであり、電源４０６はバッテリである。
ＲＥＧ１(４０２)及びＲＥＧ２(４０４)は、レギュレータであり、制御回路４０１からの制御信号によってＯＮ／ＯＦＦに切替えられ、ＯＮの場合に電源４０６から各ＭＲセンサに電力を供給する。
【００３８】
制御回路４０１は、ＲＥＧ１及びＲＥＧ２のＯＮ／ＯＦＦを切替える信号をＲＥＧ１及びＲＥＧ２に送出し、ＭＲセンサ１及びＭＲセンサ２のいずれか一方が検知した時、制御回路４０１は、そのＭＲセンサに電力を供給するＲＥＧ１とＲＥＧ２のいずれかをＯＦＦにする信号を送出する。
その信号を受付けたＲＥＧ１又はＲＥＧ２は、電源４０６からＭＲセンサに電力を供給しなくなるが、各ＭＲセンサと制御回路４０１の間にプルダウン抵抗を設けることにより、ＯＦＦにされた側のＭＲセンサは検知した電圧レベルを保つ。従って、閉状態と半開状態を繰り返しても、電源をＯＦＦにされたＭＲセンサは磁気を検知せず、他方のＭＲセンサが検知したときに、制御回路４０１はその検知信号により割込みを発生させる。
【００３９】
図７は、本実施に係る携帯電話機の機能構成図であり、図６の制御回路４０１は図７の制御部１００に対応しており、図６のＲＥＧ１及びＲＥＧ２は、図７のＲＥＧ１(１２０)及びＲＥＧ２(１２１)にそれぞれ対応している。
実施形態１と同じ機能構成部分は、図３と同じ符号を付している。以下、実施形態１と異なる部分について説明する。
【００４０】
ＲＥＧ１(１２０)及びＲＥＧ２(１２１)は、制御部１００からの制御信号に応じて各ＭＲセンサに電力を供給する機能を有している。
ＣＰＵ１０１は、両ＭＲセンサのいずれか一方から検知信号を受付けると、当該検知信号を送出したＭＲセンサに対応する開閉状態を判断して割込みを発生させる機能を有する。また、その検知信号を送出したＭＲセンサ側のレギュレータをＯＦＦに切替えることによりそのＭＲセンサの電源をＯＦＦにし、電源がＯＮのＭＲセンサから検知信号を受付けると、ＯＦＦの状態であるレギュレータをＯＮに切替えることにより、対応するＭＲセンサの電源をＯＮにする機能を有する。
＜動作＞
以下、実施に係る携帯電話機の動作について説明する。
【００４１】
図８は、本実施における携帯電話機の開閉状態検出処理の動作フロー図である。
ＣＰＵ１０１は、ＲＥＧ１(１２０)及びＲＥＧ２(１２１)をＯＮにする制御信号をＲＥＧ１(１２０)及びＲＥＧ２(１２１)に送出し、ＭＲセンサ１(１１８)及びＭＲセンサ２(１１９)に電力を供給する(ステップＳ５００)。
続いて、ＭＲセンサ１が磁気を検知して検知信号をＣＰＵ１０１に送出すると(ステップＳ５１０)、ＣＰＵ１０１は、ＭＲセンサ１による割込みを発生させ、ＲＥＧ１をＯＦＦに切替える制御信号をＲＥＧ１に送出してＭＲセンサ１の電源をＯＦＦにする(ステップＳ５１１)。また、ＣＰＵ１０１は、ＲＥＧ２をＯＮに切替えてＭＲセンサ２の電源をＯＮにする(ステップＳ５１２)。
【００４２】
また、ステップＳ５１０において、ＭＲセンサ１が検知せずＭＲセンサ２が検知した場合(ステップＳ５１０：Ｎ，ステップＳ５１３：Ｙ)、ＣＰＵ１０１はＭＲセンサ２から検知信号を受付け、ＭＲセンサ２による割込みを発生させ、ＲＥＧ２をＯＦＦに切替える信号をＲＥＧ２に送出してＭＲセンサ２の電源をＯＦＦにする(ステップＳ５１４)。また、ＣＰＵ１０１は、ＲＥＧ１をＯＮに切替えてＭＲセンサ１の電源をＯＮにする(ステップＳ５１５)。
＜補足＞
以上、本発明に係る携帯電話機について実施形態１、２に基づいて説明したが、以下のように変形することもでき、本発明は上述の実施形態で示した携帯電話機に限られないことは勿論である。
（１）実施形態１及び実施形態２では、携帯電話機を用いて説明したが、２つの検出手段を用いて開閉状態を検知する携帯端末であればよく、携帯電話機に限らない。また、実施形態１及び実施形態２に係る携帯電話機は、上部筐体を下部筐体の長軸方向にスライドさせることにより開閉することができるスライド式携帯電話機について説明したが、他の携帯電話機でもよい。例えば、上部筐体と下部筐体が回動可能に取り付けられた携帯電話機であり、軸で上部筐体を水平に180°回転させて携帯電話機を閉じるタイプのリボルバー式携帯電話機であってもよい。
（２）実施形態１及び実施形態２では、ＭＲセンサを用いているが、例えば、ホール素子などの磁気センサを用いてもよいし、リミットスイッチなどを用いてもよい。
（３）携帯電話機における開閉状態検出処理をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ等がある。流通、頒布されたプログラムはプロセッサに読み出され得るメモリ等に格納されることにより利用に供され、そのプロセッサがそのプログラムを実行することにより実施形態１及び実施形態２で示した携帯電話機の機能が実現されるようになる。
【産業上の利用可能性】
【００４３】
本発明に係る携帯端末は、開状態と閉状態との間で形態を変化させることができ、開閉状態に応じて各機能処理を行なう携帯電話機等に利用され得る。
【図面の簡単な説明】
【００４４】
【図１】本発明の実施に係る携帯電話機の外観を示す図である。
【図２】本発明の実施に係る携帯電話機の上部筐体内部のＭＲセンサ及び下部筐体内部の磁石の配置を示す図である。
【図３】実施形態１に係る携帯電話機の機能構成図である。
【図４】機能切替えテーブルの構成及び内容例を示す図である。
【図５】実施形態１における開閉検出処理を示す動作フロー図である。
【図６】実施形態２における開閉検出回路を示す図である。
【図７】実施形態２に係る携帯電話機の機能構成図である。
【図８】実施形態２における開閉検出処理を示す動作フロー図である。
【符号の説明】
【００４５】
１    携帯電話機
１０  上部筐体
１１  ディスプレイ
１２  操作ボタン
１３  テンキー
２０  下部筐体
５１  ＭＲセンサ１
５２  ＭＲセンサ２
１００制御部
１０１ＣＰＵ
１０２ＣＰＵ割込み制御部
１０３開閉情報記憶部
１１５記憶部
１１７操作部
１１８ＭＲセンサ１
１１９ＭＲセンサ２
１２０ＲＥＧ１
１２１ＲＥＧ２
４０１制御回路
４０２ＲＥＧ１
４０３ＭＲセンサ１
４０４ＲＥＧ２
４０５ＭＲセンサ２
４０６電源
【図１】
2006217380.tif 000003
【図２】
2006217380.tif 000004
【図３】
2006217380.tif 000005
【図４】
2006217380.tif 000006
【図５】
2006217380.tif 000007
【図６】
2006217380.tif 000008
【図７】
2006217380.tif 000009
【図８】
2006217380.tif 000010